【手続補正書】
【提出日】平成17年8月2日(2005.8.2)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、体液との接触により収縮する収縮吸収材、使い捨ての紙おむつ、生理用ナプキンなどの体液吸収性物品、ならびに収縮吸収材の製造方法に関する。
【０００２】
【従来の技術】
この種の体液吸収性物品は、基本的に、身体の肌に面する側に設けられた液透過性の表面層、身体の肌から遠ざかる側に設けられた防漏層、および両者の間に設けられた体液吸収性部を有する。
【０００３】
この場合における、体液吸収性部の構成は、種々のものが知られているが、吸収性素材として、高吸収性ポリマー、綿状パルプ（フラッフパルプ）、クレープ紙などの吸収紙を主としている。近年の高吸収性ポリマー技術の進展に伴い、より薄型化した体液吸収性部の形成が可能となり、したがって製品の吸収部分の身体へのフィット性が向上し、モレが少なくなってきている。
【０００４】
この製品の吸収特性の改善は、需要者にとって、薄型でありながら、吸収容量が大きく、さらに長時間の着用にも耐えるさらに新たな製品開発の要求となってあらわれる。
【０００５】
しかるに、この要求を満たすためには、例えば、尿の場合であっては多数回の排尿量のすべてを体液吸収性部が吸収しなければならない。しかし、排尿が繰り返えされるごとに体液吸収性部の吸収速度は遅くなり、特に体液吸収性部の長手方向端部まで体液が吸収されないことが多い。この原因としては、体液の縦方向（製品の長手方向）への拡散が十分でないこと、高吸収性ポリマーの膨潤による拡張濡れが阻害されるいわゆるゲルブロッキング現象が起こるためとされている。
【０００６】
これらの現象を解決する手法として、特表２０００−５１００３１号公報、及び特表２０００−５１００３３号公報などの縦方向への濡れ拡がりを助ける技術、特表２０００−５１００３１号公報、特表２０００−５１００３３号公報などの高吸収性ポリマーのゲルブロッキングを防ぐ技術、高吸収性ポリマーの形状や組み込みの工夫、濡れによって膨潤する空間を確保する方法などが提案されている。
【０００７】
しかしいずれの方法を用いても、十分な解決策となっていない。この原因を改めて検討すると、従来の体液吸収性物品の体液吸収性部は縦長とし製品の長手方向に沿って配置し、体液排出部位が体液吸収性部のほぼ中心に位置するように設計し、排出部位からの体液は長手方向端部まで濡れ拡がる（拡散する）であろうことを前提としていた。したがって、体液の長手方向拡散が十分でない限り、本質的に、体液吸収性部全体で体液を吸収することはできない。
【０００８】
他方、かかる問題点に対して、本発明者らは、体液吸収性部内での体液の拡散には限界があることを踏まえ、吸収材が体液との接触により収縮し移動することにより、排泄部位と対応する吸収材部分が更新されるように構成した体液吸収性物品およびその改良技術について種々の提案（特許文献１〜１６）をしている。かかる先行技術によれば、吸収材全体を有効的に利用し、全体としてみれば、吸収容量が大きく、さらに複数回の体液吸収が十分に可能であり、長時間の着用にも耐え得る体液吸収性物品となる。
【０００９】
これらの一連の先行技術では収縮機能を有する吸収材についても種々提案しているが、中でもリボン状繊維集合シート等からなる担体に高吸収性ポリマーを保持させたものは製造が容易である等のメリットがあり、好ましい形態の一つである。
【００１０】
【特許文献１】
特願２００２−２６４４０号明細書
【特許文献２】
特願２００１−２６９１４号明細書
【特許文献３】
特願２００１−１４８１３１号明細書
【特許文献４】
特願２００１−２２６５０７号明細書
【特許文献５】
特願２００１−２４１９１２号明細書
【特許文献６】
特願２００１−３１２７６５号明細書
【特許文献７】
特願２００１−３３１５６３号明細書
【特許文献８】
特願２００１−３３１５６４号明細書
【特許文献９】
特願２００２−２６４４０号明細書
【特許文献１０】
特願２００２−２００８９４号明細書
【特許文献１１】
特願２００２−２００８９５号明細書
【特許文献１２】
特願２００２−２１８５９４号明細書
【特許文献１３】
特願２００２−２１８５９５号明細書
【特許文献１４】
特願２００２−２１８５９６号明細書
【特許文献１５】
特願２００２−２２６０５８号明細書
【特許文献１６】
特願２００２−２４２４８９号明細書
【特許文献１７】
特表２０００−５１００３１号公報
【特許文献１８】
特表２０００−５１００３３号公報
【特許文献１９】
特表２０００−５１００３１号公報
【特許文献２０】
特表２０００−５１００３３号公報
【００１１】
【発明が解決しようとする課題】
しかし、上記従来の吸収材では、繊維状シートのポリマー保持量がある程度を超えると、シートからポリマーが脱落し易くなる。特にポリマーが体液吸収により膨潤すると脱落し易くなるが、膨潤しなくてもポリマーの脱落は発生する。そして、かかるポリマーの脱落が発生するとそのポリマーが排泄部位近傍に留まり移動できなくなるため、所期の更新機能が発揮されなくなってしまう。
【００１２】
かかる問題点は、特に、担体に高吸収性ポリマーが保持されている部分における、担体の単位面積当たりの高吸収性ポリマーの保持量が３００ｇ／ｍ2以上のときに顕著である。
【００１３】
この問題点に対して、本発明者らは先の特願２００１−２２６５０７号等において、担体を袋状となし、この袋状担体内にポリマーを封入するという解決策を提案した。しかし、かかる吸収材を製造する場合、ポリマーを袋体内に封入する必要があり、この処理を製造ライン上で実現するのが容易でないという問題点があった。
【００１４】
そこで、本発明の主たる課題は、製造が容易であるとともに、より確実に吸収材の更新機能が発揮される体液吸収性物品を提供することにある。
【００１５】
【課題を解決するための手段】
上記課題を解決した本発明は次記のとおりである。
＜請求項１記載の発明＞
身体の肌に面する側に設けられた液透過性の表面層、身体の肌から遠ざかる側に設けられた防漏層、および両者の間に設けられた、少なくとも排泄部位を含む表面方向に沿う主吸収範囲と対応する体液吸収性部を有し、
前記体液吸収性部内に、体液の吸収保持機能および体液との接触による収縮機能を有する吸収材を有し、かつその所定部位を物品に対して固定してなる吸収性物品であって、
前記吸収材が、
体液透過性の細長状袋体と、
前記袋体の長手方向に沿って取り付けられた、体液との接触により収縮する細長状の収縮性材と、
前記袋体内に封入された、繊維集合シートからなるリボン状担体に高吸収性ポリマーを保持させてなる体液吸収性材とを有するものである、
ことを特徴とする体液吸収性物品。
【００１６】
（作用効果）
本発明が対象とする体液吸収性物品では、表面層を通過した体液は吸収材に吸収される。より詳細には、体液は袋体内に透過し、内部の高吸収性ポリマーに吸収され保持される一方で、一部は収縮性材に接触して当該接触部分が収縮し、これに伴い、収縮性材が一体化された袋体が収縮する。その結果、吸収材が全体として収縮する。この際、吸収材の所定部位が固定されていると、当該固定部に向って吸収材が収縮する結果、体液排出部位に対して、吸収材における先に体液を吸収した部位が逃げるようになり、これに代わって吸収材の新たな部位が位置するようになる。つまり体液排出部位に対して、吸収材の吸収部が体液の排出に伴なって更新され、位置変化するのである。
【００１７】
この際、従来のようにポリマーを担体に保持させただけでは、ポリマーの脱落により更新機能が損なわれるおそれがあることは前述したとおりである。
【００１８】
しかるに、本発明では、担体に高吸収性ポリマーを保持させてなる体液吸収性材を袋体内に封入しているため、ポリマーは担体から脱落しても袋体内に保持され、袋体の収縮に伴って移動する。よって、上記の更新機能が確実に発揮される。
【００１９】
また、本発明では予めリボン状担体に高吸収性ポリマーを保持させて体液吸収性材を製造した後、この取り扱いの容易なリボン状体液吸収性材を袋体内に封入することができるため、取り扱いの困難なポリマー粒子を直接に袋体内に封入するよりも製造が容易である。
【００２０】
＜請求項２記載の発明＞
前記担体に高吸収性ポリマーが保持されている部分における、前記担体の単位面積当たりの高吸収性ポリマーの保持量が３００ｇ／ｍ2以上とされている、請求項１記載の体液吸収性物品。
【００２１】
（作用効果）
前述のように本発明ではポリマーが脱落しても更新機能が損なわれることがないため、本請求項２記載の発明のように、高吸収性ポリマーを担体に対して多量に保持させることができ、吸収性能の向上を容易に図ることができる。
【００２２】
＜請求項３記載の発明＞
前記吸収材は、物品前後方向に沿って配置され且つ物品幅方向に三本以上並設されており、各前記吸収材は、長手方向一端部のみが物品に対して固定され、他端部は自由端部とされている、請求項１または２記載の体液吸収性物品。
【００２３】
（作用効果）
本発明はかかる形態で吸収材が配置されている体液吸収性物品に好適に用いられる。
【００２４】
【発明の実施の形態】
以下、本発明の実施の形態を図面を参照しながらさらに詳説する。
＜吸収材および体液吸収性物品について＞
本発明は使い捨ての紙おむつ、生理用ナプキンなどの体液吸収性物品一般に適用されるが、おむつ使用時（装着時）に背側の左右両側部を腹側の左右両側部に持ち込み、これらをテープファスナー（粘着剤テープファスナー及び面ファスナーを含む）により接合するタイプのいわゆるテープ式紙おむつに対する適用例を説明すれば、パンツ型使い捨ておむつやパッド型使い捨て吸収性物品での実施の形態や、生理用ナプキンでの実施の形態も直ちに推測できると思われるので、後二者の例についてはその説明を省略する。
【００２５】
図１〜図３は、本発明を適用した使い捨ておむつの例を示している。この使い捨ておむつは、身体の肌に面する側に設けられた液透過性の不織布シート、あるいは孔開きフィルムシートなどからなり、着用者の肌に直接触れる長方形の表面層２、身体の肌から遠ざかる側に設けられたポリエチレンプラスチックフィルムなどからなる長方形の不透液性バックシートなどからなる防漏層３、および両者の間に設けられた、少なくとも排泄部位Ｚを含む表面方向に沿う主吸収範囲と対応する体液吸収性部１を有する。
【００２６】
さらに、防漏層３より裏面側たる製品の裏面側には、可撓性の外形シート４を有し、この外形シート４は１枚の不織布または複数枚の通気・撥水性の不織布を積層固定したものからなる。
【００２７】
製品の両側部には、使用面側に突出する脚周り起立カフスＣ，Ｃがそれぞれ形成され、この起立カフスＣは、実質的に幅方向に連続した起立シート８と、たとえば糸ゴムからなる一本のまたは複数本の伸縮部材９とにより構成されている。さらに詳細には、起立カフスＣは、起立シート８を二重にして形成され、伸縮部材９を包んでホットメルト接着剤などにより固着した状態で形成されたものである。各起立カフスＣ，Ｃを形成する起立シート８は、透液性でなく不透液性もしくは疎水性であるのが望ましい。また、不織布などの透液性シートに対してシリコン処理などにより液体をはじく性質となるようにしてもよい。さらに、通気もしくは蒸気透過性を有しているのが望ましい。起立シート８の間に不透液性フィルムシートを挟み込み、さらに防漏性を高めることができる。
【００２８】
二重の起立シート８の内面は、表面層２及び外形シート４にホットメルト接着剤などにより固着されている。その結果、二重の起立シート８のこの固着始端は、起立カフスＣの起立端を形成している。この起立端より先端側は、製品本体に固定されていない自由部分である。
【００２９】
二重の起立シート８の長手方向前後端部は、ホットメルト接着剤などにより、自由部分がその先端を物品の中央側に向かう状態で物品に、具体的には表面層２外面に固定されている。左右の起立カフスＣ，Ｃで囲まれる空間は、尿または軟便の閉じ込め空間を形成する。この空間内に排尿されると、その尿は透液性表面層２を通って体液吸収性部１内に吸収されるとともに、軟便の固形分については、起立カフスＣがバリヤーとなり、その乗り越えが防止される。
【００３０】
他方、前身頃及び後身頃の長手方向端部において、ウエスト部における外形シート４の不織布間に、ウエスト周りのフィット性を高めるために、ウエスト開口部の端縁に平行に間隔を置いて細い糸ゴムからなるウエスト伸縮部材１０，１０…を配置し、これらが伸縮するように伸長下にホットメルト接着剤などにより固定されている。ウエスト伸縮部材１０，１０…の間隔および本数は適宜定めることができるが、例えば間隔としては４〜８ｍｍ程度、本数としては３〜１０本程度が好ましい。符号１１は背側の左右両側部を腹側の左右両側部に持ち込み、接合するためのテープファスナーを示している。
【００３１】
（本発明に関連する構成等）
本発明が対象とするおむつは、排泄部位Ｚを含む体液吸収性部１内に、体液の吸収保持機能および体液との接触による収縮機能を有する吸収材２５（具体例については後述する）を有し、この吸収材２５の所定部位が物品に対して固定されたものである。固定部は後述の図８に符号３０で示されている。体液吸収性部１は、排泄部位Ｚを含む表面方向に沿う主吸収範囲であり、この限りにおいて任意に設定できるものであるが、通常は、物品長手方向の５０〜１００％程度の長さを有し、物品股間幅の７０％以上の幅を有する矩形範囲である。
【００３２】
本実施形態では、図８に示すように、吸収材２５は、体液吸収性部１と略同じか若干短い程度の長さを有する細長帯状をなし、物品前後方向に沿って腹側から背側まで延在され且つ物品幅方向に三本並設されており、中央の吸収材２５は排泄部位Ｚと対応する部分を有するように配置され、両側の吸収材２５，２５は排泄部位Ｚと対応する部分を有しない位置に配置されており、さらに、各吸収材２５は、長手方向一端部３０のみが物品に対して、ホットメルト接着剤等の接着剤やヒートシール等の接合手段等により固定され、他端部は自由端部とされている。図示形態では、背側に吸収材２５を移動させるために固定部３０も背側にのみ設けているが、腹側に吸収材２５を移動させたい場合には、腹側にのみ設けることもできる。このように、本発明の固定部３０は吸収材２５の移動先となる任意の位置に設けることができるものである。
【００３３】
本発明における吸収材２５は、図４〜図６に示すように、細長状袋体２８と、その内面に（外面であっても良い）、長手方向の略全体にわたり取り付けられた、体液との接触により収縮する細長状の収縮性材２７と、袋体２８内の長手方向の略全体にわたるように配置された、繊維集合シートからなるリボン状担体２６Ｂに高吸収性ポリマー２６Ａを保持させてなる体液吸収性材２６とから構成されており、全体として細長状をなすものである。好ましい形態では、袋体２８と収縮性材２７と体液吸収性材２６とは、実質的に同じ長さを有し且つ一体に形成される。また、体液吸収性材２６は、担体２６Ｂの長手方向全体に連続的に高吸収性ポリマー２６Ａを配置したものの他、担体２６Ｂの長手方向に間欠的に高吸収性ポリマー２６Ａを配置したものも用いることができる。
【００３４】
以下更に詳細に説明する。袋体２８は、２枚のシートを重ね合わせ周縁部相互を接合することでも形成できるが、図示のように一枚の帯状シートｓｔを幅方向に折り畳み、周縁部相互を重ね合わせて接合するほうが製造が容易であり好ましい。この接合は、図６に×印で示してあり、体液との接触により解離しないように、ヒートシール、高周波シールまたは超音波シールにより接合される。
【００３５】
袋体２８の素材としては、適宜選択することができ、少なくとも一部が不織布、孔開きフィルム等の体液透過性のものが使用される。特に、熱可塑性合成繊維を含む坪量１５〜２０ｇ／ｍ2程度の液透過性親水性不織布（公知の、スパンボンド不織布、カードウエブを接着した不織布、メルトブローン不織布、それらの混成不織布等）や、合成パルプ（三井石油化学社製のＳＷＰなど）を含む坪量１５〜２０ｇ／ｍ2程度のティッシュペーパーなどが好ましく使用できる。なお、袋体２８は、収縮性材２７と一体化され、収縮性材２７の収縮時には収縮性材２７との接合部位に１０〜２０Ｎ程度の力がかかるので、それに耐えることができる程度の湿潤強度を有するのが望ましい。
【００３６】
また図示例の袋体２８は、長手方向に多数の隔室ｒ，ｒ…を有するものとされている（もちろん、隔室ｒ，ｒ…を省略することもできる）。この隔室ｒ，ｒ…相互を仕切る区画部分ｄ，ｄ…は、例えば図６（ｂ）に断面を示すように、袋体２８の長手方向に間隔をあけて袋体２８の内面相互の幅方向にわたる接合により形成できる。この区画部分ｄの接合部分は＋印により示してある。この接合により体液吸収性材２６及び収縮性材２７は袋体内面間に挟まれ袋体２８に対して固定されている。
【００３７】
この区画部分ｄの接合方法としては、体液との接触により解離する接合手法を採るのが好ましい。このために、体液との接触により接着力が弱まるような接着剤、例えばポリビニルアルコール、ポリアルキレンオキサイドなどを主成分とする水分散型ホットメルト接着剤や、デンプン糊、カルボキシメチルセルロース等の水溶性接着剤を用いた接合形態を採ることができる。この場合、接着強度が体液接触時に対して体液非接触時が２倍以上となるように、接着剤の選択、接着面積・パターン（スパイラル状、直線状、曲線状等の各種線状のほか、面状、点状等）の選択等を行うのが望ましい。
【００３８】
この場合、吸収材２５の区画部分ｄが体液と接触すると、区画部分ｄの接合が解離するとともに、当該区画部分ｄの接合により固定されていた収縮性材２７の固定も解かれる。よって、隔室ｒ内の高吸収性ポリマー２６Ａは当初の隔室容積を超えて膨張でき、いわゆるゲルブロッキングが発生しにくくなり、また収縮性材２７は固定が解かれた部分において袋体２８による拘束を受けずに自由に収縮できる。またこの際、収縮性材２７の体液非接触部位は固定が解かれないので、収縮性材２７の収縮に伴う吸収材２５の収縮が確実になされる。
【００３９】
ただし、かかる解離構成を採用する場合には、収縮性材２７と袋体２８とを、少なくとも長手方向の収縮範囲の両端部（本実施形態の場合、吸収材２５の固定部位３０の排泄部位Ｚ側における長手方向両端部である）において収縮性材２７の収縮力よりも強い力をもって相互に固定する。このため本実施形態では、収縮性材２７の両端部は袋体２８の長手方向両端部２６ｅ，２６ｅのシート間に挟まれ、これらシート相互を収縮性材２７を含めて、ヒートシールや超音波シール等によって体液との接触により解離しないように接合している。かくして、収縮性材２７の長手方向両端部は体液と接触しても固定が解かれなくなる。
【００４０】
また、本発明の収縮性材２７は、上記の区画部分ｄ，ｄ…による間欠的な固定だけでなく、必要に応じて他の部位または長手方向全体を袋体２８内面に対してホットメルト接着等により固定することもできる。この固定は、体液との接触により解離するほうが好ましいが、解離しないようにすることもできる。この固定部は図６中に＃印で示してある。
【００４１】
他方、本発明の体液吸収性材２６は、前述のとおり繊維集合シートからなるリボン状担体２６Ｂに高吸収性ポリマー２６Ａを保持させてなるものであり、図７（ａ）に示すようにポリマーを担体２６Ｂ外面に保持させることもできるし、図７（ｂ）に示すように嵩高な繊維集合シートからなる担体２６Ｂを用い、その内部の繊維間に保持させることもできる。後者の場合さらに担体２６Ｂ外面にもポリマー２６Ａを保持させることもできる。また前者の場合においては、少なくとも表面層２側の外面にはポリマーを配置するほうが好ましい。
【００４２】
ポリマー２６Ａを担体２６Ｂ外面に保持させる場合には、ホットメルト接着剤等を用いて接着するほか、ポリマー２６Ａに水分を与えることにより粘着力を付与し、粘着させることもできる。また、担体２６Ｂ内の繊維間にポリマー２６Ａを保持させる場合には、接着や粘着を用いることもできるが、単に機械的に絡ませるだけでも良い。さらに場合によっては、これらの保持手段を採らずに単に付着させるだけでも良い。いずれにせよ、少なくとも吸収材製造完了までの間、好ましくは製品が使用されて体液が膨潤するまでの間、高吸収性ポリマー２６Ａが担体２６Ｂに保持されているのが望ましい。
【００４３】
特に、担体２６Ｂ内の繊維間にポリマー２６Ａを保持させる場合、この主の体液吸収性物品の吸収体技術として公知の湿式堆積法を好適に使用できる。すなわち、水または他の水性液体によって結合した繊維と高吸収性ポリマー粒子２６Ａとの混合物からなる前駆材料から適切な形状の体液吸収性材２６を形成することができる。
【００４４】
担体２６Ｂとしては、繊維集合体シートであれば、親水性・疎水性を問わず使用できるが、親水性のものが好ましく、特に密度０．０５〜０．１ｇ／ｃｍ3、坪量３０〜１００ｇ／ｍ2の、親水性繊維（表面親水化した合成繊維か、あるいは表面親水化した合成繊維とセルロース系繊維との両者を含むものが好ましい。）からなる不織布シートが好ましい。
【００４５】
担体２６Ｂ内にポリマー２６Ａを保持させる場合には、嵩高な繊維集合体、具体的には密度０．０３〜０．０８ｇ／ｃｍ3、坪量２０〜５０ｇ／ｍ2の、親水性繊維からなる不織布シートが好適に使用できる。
【００４６】
また、高吸収性ポリマー２６Ａとしては、この種の使い捨て吸収性物品において用いられる、自重のたとえば２０倍以上の体液を吸収して保持するものを使用できる。この例として、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などを挙げることができる。
【００４７】
高吸収性ポリマー２６Ａの吸収特性としては１０秒間で１０倍以上吸収し膨潤するものが望ましい。高吸収性ポリマー２６Ａの形状としては、現在一般的な粉粒体状のもののほか、これに替えて若しくはこれとともに繊維状のものも用いることができる。繊維状高吸収性ポリマーは紡糸等により糸状または紐状となして使用することもできる。
【００４８】
高吸収性ポリマー２６Ａの担体２６Ｂへの配設量は、当該吸収性物品の吸収量の設定により決定される。本実施形態の場合、袋体２８内部に高吸収性ポリマー２６Ａを多量に、具体的には担体２６Ｂの単位面積（１ｍ2）当たり３００ｇ以上保持させることができる。ただし、あまりに多量の高吸収性ポリマーを用いると、体液吸収により膨潤したとき当該部位において高吸収性ポリマー相互が密着し、局所的なゲルブロッキングが発生するおそれがある。これが発生すると他の部位の高吸収性ポリマーへの体液の濡れ広がりが阻害され、吸収速度が低下する。したがって、これを防止するために、袋体２８を平坦に潰した状態の内空部分の面積５〜２０ｃｍ2あたり高吸収性ポリマーの量が０．１〜０．６ｇとなるようにして、袋体２８内に空隙を形成し、高吸収性ポリマーの膨潤後の容積を袋体２８内に予め確保しておくのが好ましい。
【００４９】
かくして形成された体液吸収性材２６は、図示のように袋体２８内に非固定状態で配置したり、袋体２８内面または収縮性材２７に対して固定したりすることもできる。図示のように袋体２８内に収縮性材２７を配置する場合には、これに接触させて体液吸収性材２６を配置するのが好ましく、特に図示のように袋体２８内の内面下部に収縮性材２７を配置するとともに、その上に体液吸収性材２６を配置して、収縮性材２７を袋体２８内面と体液吸収性材２６との間に挟むようにするのが望ましい。
【００５０】
また体液吸収性材２６は、図示のように吸収材２５の長手方向に連続する形態のほか、長さの短いものを連ねてまたは断続的に配置する形態を採ることもできる。特に上記例のように袋体が長手方向に複数の隔室ｒ，ｒ…を有する場合には、隔室ｒに体液吸収性材２６をそれぞれ相互独立した状態で配置することもできる。さらに、体液吸収性材２６は、図示のように一つの袋体２８あたり一本設ける形態に限られず、複数本設けることもできる。
【００５１】
他方、吸収材２５の収縮力を発生させる収縮性材２７としては、ポリビニルアルコール系長繊維を複数本引き揃えてなる収縮糸や、セルロース系短繊維を紡績し、これをカルボキシメチル化した後に強撚してなる収縮糸を好適に使用できる。具体的には、特公平６−１０２０６８号公報、特許第２６５６２４５号公報に開示されているものや、市販のものとしては、株式会社ニチビの商品名「ソルブロン」を用いることができ、太さは５００〜１６００ｄｔｅｘのものが好適である。収縮性材２７としては、横断面円形や四角形の糸状のものや、又はシート状、フィルム状若しくは網状のものなど、あらゆる形状のものを用いることができる。収縮性材２７としては、フィラメント状や紡績糸であることもできる。吸収材２５の効率良い移動を達成するためには、収縮性材は１本あたり１０Ｎ以上の体液吸収時収縮力を有しているのが好ましい。
【００５２】
他方、吸収材２５の製造に際しては、担体２６Ｂに高吸水性ポリマー２６Ａを保持させた体液吸収性材２６を得た後、袋体形成シート上に収縮性材２７と体液吸収性材２６とを配置し、当該シートを折り返して周縁部を接合する、或いは別途のシートを重ねて周縁部を接合する形態を採ることもできるし、担体２６Ｂに高吸水性ポリマー２６Ａを保持させた体液吸収性材２６を得て、これを袋体形成シート上に配置し、当該シートを折り返して周縁部を接合する、或いは別途のシートを重ねて周縁部を接合した後、袋体外面に収縮性材２７を固定する形態等を採ることもできる。
【００５３】
かくして構成された紙おむつにおいては、図９に示すように、尿等の体液が排泄部位Ｚに排出され、その体液が領域Ｙまで拡散したとすると、その体液と接触した吸収材２５，２５…はそれぞれ収縮する。より詳細には、吸収材２５に供給された体液は袋体２８内に透過し、内部の高吸収性ポリマー２６Ａに吸収され保持される一方で、一部が収縮性材２７に接触することによって当該接触部分が収縮し、その結果、収縮性材２７が一体化された吸収材２５が収縮するのである。この際、収縮性材２７が袋体２８内にあるので、収縮性材２７に対しても体液が確実に供給されるようになる。
【００５４】
そして、吸収材２５の一端部３０が固定されていると、図９に示すように固定部３０に向けて吸収材２５，２５…が収縮する結果、体液排出部位Ｚに対して、吸収材２５における先に体液を吸収した部位が逃げるようになり、これに代わって吸収材２５の新たな部位が位置するようになる。つまり体液排出部位Ｚに対して、吸収材２５の吸収部が体液の排出に伴なって更新され、位置変化する。したがって、吸収材２５全体は有効的に利用され、全体としてみれば吸収容量が著しく向上されるがその割には薄型で済むことになる。よって、この本発明を適用したおむつは、長時間の着用にも耐え得るものである。
【００５５】
そして、かかる体液吸収時において、体液吸収性材２６を袋体２８内に封入していると、膨張によりポリマー２６Ａが担体２６Ｂから脱落したとしても、その脱落ポリマー２６Ａは袋体２８内に保持され、袋体２８の収縮に伴って移動される。よって、上記の更新機能が確実に発揮される。またそのため、本発明の吸収材２５では、高吸収性ポリマー２６Ａを担体２６Ｂに対して多量に保持させることができ、吸収性能の向上を容易に図ることができるという利点ももたらされる。
【００５６】
他方、本実施形態では、主に吸収材２５の移動スペース確保のために、体液吸収性部１内、具体的には表面層２と防漏層３との間に、物品長手方向に沿って吸収材２５と同程度延在する壁状部材２９を、吸収材２５幅よりも広い間隔をおいて吸収材２５の数よりも一本多く設け、これらの壁状部材２９，２９間に吸収材２５をそれぞれ配置している。しかし、本発明ではかかる壁状部材２９，２９…を省略することももちろん可能である。
【００５７】
吸収材２５の移動スペース確保の場合には、壁状部材２９を体液吸収性部１内にホットメルト接着やヒートシール接着等を用いて固定するほうが望ましいが、そうでない場合には、固定せず単に載せ置くようにしたりすることもできる。
【００５８】
壁状部材２９は、単なる繊維集合体やスポンジ体であっても良いが、吸収材２５から収縮性材２７を省略した形態、すなわち体液透過性シートからなる密閉袋体内に体液吸収性材料を封入して形成したものを好適に使用することができる。体液吸収性材料としては、吸収性物品においても公知のもの、例えば高吸収性ポリマー、セルローススポンジ、海綿又はこれらの混合物などを用いることができる。壁状部材２９の形状は適宜定めることができるが、それらの間に吸収材２５を配置することを考慮すると、図示のように細長で厚さの薄い形状が好ましい。この場合、壁状部材２９は倒れた状態で設けることができる。
【００５９】
他の構成は、変形例も含めて前述の吸収材２５と同様であるため、敢えて説明を省略する。
【００６０】
かくして壁状部材２９，２９間に吸収材２５が配置されていると、これら壁状部材２９，２９により身体の肌に面する側からの圧力が支えられ、それらの間に吸収材２５の収縮スペース及び体液の流通チャンネルが確保され、着用に際し、被着体により吸収材２５側に及ぼされる体圧が高くても、吸収材２５の収縮スペースが確実に確保され、吸収材２５の確実且つ効率良い更新、ならびに体液の効率的な吸収が可能となる。
【００６１】
さらに、壁状部材２９が、体液吸収性材料を袋体内に封入した形態を有していると、体液吸収性材料によって付随的な体液吸収がなされ、製品幅方向への濡れ拡がりが抑えられ、製品長手方向への濡れ拡がりが助長される。よって、使い捨ておむつや生理用ナプキンにおいて従来から問題視されてきた所謂横漏れも効果的に防止される。特に体液吸収性材料が高吸収性ポリマーのように膨張するものであると、体液吸収により壁状部材２９が拡大し、上記の機能が確実に発揮される。
【００６２】
さらに壁状部材２９の袋体に、体液との接触により解除される区画を設けた場合、壁状部材２９内の体液吸収性材料が体液を吸収して膨張したとき、同時に体液との接触により区画が解除され、隔室の形状が自然に安定な形状に変化できるため、壁状部材２９が横倒しになったり局所的に膨出したりして吸収材２５の収縮スペースが無くなるといったことが発生しにくく、壁状部材２９本来の機能が体液吸収によって阻害されることなく、常に確実に発揮されるようになる。
【００６３】
（その他）
以上、各種の形態について述べたが、本発明の範囲内において、従来の技術の項で述べた、本出願人による先願（特許文献１〜１６）に開示された構成を適宜選択して採用できる。
【００６４】
また、本発明における排泄部位Ｚは、排泄器官の位置に応じて定まるものである。排泄部位Ｚは、物品の長手方向中央かつ幅方向中央の直径１〜５ｃｍ程度の円形範囲または物品前後方向を長軸とする楕円形範囲とすることができる。また、排泄部位Ｚは、男性用、女性用、幼児用、成人用等の種別に応じて適宜定めることができる。
【００６５】
また、本発明における吸収材の収縮範囲は適宜設定できるものであり、吸収材の長手方向全体としたり、その一部としたりすることができるが、少なくとも排泄部位Ｚは含むようにするのが好ましい。
【００６６】
さらに、現在市販の紙おむつでは、綿状パルプ（フラッフパルプ）を主体とし、ある程度の剛性を有する（半剛性の）長方形の吸収コアをクレープ紙で包むなどして形成した非収縮吸収材が、体液吸収性部内に備え付けられている。本発明では、この非収縮吸収材とともに前述の収縮移動吸収材２５を設けることができ、この場合収縮移動する吸収材２５は、非収縮吸収材の内外の適宜の位置、具体的には、表面層とクレープ紙との間、クレープ紙と吸収コアとの間、吸収コアの内部、クレープ紙と防漏層との間など、適宜の位置に配置することができる（図示せず）。
【００６７】
【発明の効果】
以上のとおり本発明によれば、製造が容易であるとともに、より確実に吸収材の更新機能が発揮される体液吸収性物品となる。
【手続補正２】
【補正対象書類名】明細書
【補正対象項目名】符号の説明
【補正方法】変更
【補正の内容】
【符号の説明】
１…体液吸収性部、２…表面層、３…防漏層、２５…吸収材、２６…体液吸収性材、２６Ａ…高吸収性ポリマー、２６Ｂ…担体、２７…収縮性材、２８…袋体、ｒ…隔室、ｄ…区画。